(57)【要約】【課題】  プラントの運転管理を行うオペレータが運転管理に携わる上で必要な思考能力を身に付けスキル向上を図ることができる環境を実現する運転管理支援システムを提供する。【解決手段】  オペレータにより監視対象選択画面５０においていずれかの監視対象が選択されたときに、データ保持手段に保持された、複数の監視対象と各監視対象ごとの監視要素及び該監視要素に対応した管理項目とを関連付けた管理データを参照して、該選択された監視対象と関連付けられた監視要素６１及び該監視要素６１に対応した管理項目６２を認識し、該選択された監視対象の監視要素６１と該監視要素６１に対応した管理項目６２とを関連付けた管理項目表示画面６０をディスプレイに表示させる表示制御手段を備える。【選択図】  図２
2008191983.tif 000002
【特許請求の範囲】
【請求項１】
オペレータ用の表示手段及び操作手段を備えてプラントの運転を管理及び支援するシステムであって、
前記プラントを構成する設備における複数の監視対象と各監視対象ごとの監視要素及び該監視要素に対応した管理項目とを関連付けた管理データを保持するデータ保持手段と、
オペレータが前記操作手段を操作することにより前記複数の監視対象の中からいずれかの監視対象を選択できる監視対象選択画面を前記表示手段に表示させ、該監視対象選択画面においていずれかの監視対象が選択されたときに、前記管理データを参照して、該選択された監視対象と関連付けられた監視要素及び該監視要素に対応した管理項目を認識し、該選択された監視対象の監視要素と該監視要素に対応した管理項目とを関連付けた管理項目表示画面を前記表示手段に表示させる表示制御手段と
を備えたことを特徴とするプラントの運転管理支援システム。
【請求項２】
請求項１記載のプラントの運転管理支援システムにおいて、
前記データ保持手段は、前記管理項目と各管理項目ごとの前記プラントに備えられた検出手段による管理方法とを関連付けた管理方法データを保持し、
前記表示制御手段は、前記監視対象選択画面においていずれかの監視対象が選択されたときに、前記管理方法データを参照して、該選択された監視対象の監視要素に対応した管理項目と関連付けられた管理方法があるか否かを判断し、関連付けられた管理方法があるときは、該管理項目と該管理方法とを関連付けて前記管理項目表示画面に表示する
ことを特徴とする運転管理支援システム。
【請求項３】
請求項２記載のプラントの運転管理支援システムにおいて、前記表示制御手段は、
前記管理項目表示画面において前記管理方法が関連付けて表示されない管理項目について、オペレータに前記操作手段を操作して該管理項目の管理方法を入力させる管理方法入力表示部を表示し、
該管理方法入力表示部を介して管理方法が入力されたときに、該入力された管理方法をを該管理項目と関連付けた管理方法追加データを前記データ保持手段に保持し、
前記監視対象選択画面においていずれかの監視対象が選択されたときに、前記データ保持手段に保持された前記管理方法データ及び管理方法追加データを参照して、該選択された監視対象の監視要素に対応した管理項目と関連付けられた管理方法があるか否かを判断し、関連付けられた管理方法があるときには、該管理項目と該管理方法とを関連付けて前記管理項目表示画面に表示する
ことを特徴とする運転管理支援システム。
【請求項４】
請求項３記載のプラントの運転管理支援システムにおいて、
前記プラントの異常を検知する異常検知手段を備え、
前記データ保持手段は、前記プラントで生じる異常と前記管理項目のうちで該異常に対処する際に確認すべき管理項目とを関連付けた異常要因データを保持し、
前記表示制御手段は、前記異常検知手段により異常が検知されたときに、前記異常要因データと前記管理方法データ及び前記管理方法追加データとを参照して、該検知された異常と関連付けられた管理項目及び該管理項目に対応した管理方法を認識し、該検知された異常と該認識した管理項目及び該管理項目に対応した管理方法とを関連付けた異常報知画面を前記表示手段に表示する
ことを特徴とする運転管理支援システム。
【請求項５】
オペレータ用の表示手段及び操作手段とデータ保持手段とを備えたコンピュータにより、プラントの運転を管理及び支援する方法であって、
オペレータが前記操作手段を操作することにより前記プラントを構成する設備における複数の監視対象の中からいずれかの監視対象を選択できる監視対象選択画面を、前記表示手段に表示させる第１のステップと、
該監視対象選択画面においていずれかの監視対象が選択されたときに、前記データ保持手段に保持された、前記複数の監視対象と各監視対象ごとの監視要素及び該監視要素に対応した管理項目とを関連付けた管理データを参照して、該選択された監視対象と関連付けられた監視要素及び該監視要素に対応した管理項目を認識し、該選択された監視対象の監視要素と該監視要素に対応した管理項目とを関連付けた管理項目表示画面を前記表示手段に表示させる第２のステップと
を含むことを特徴とするプラントの運転管理支援方法。
【請求項６】
オペレータ用の表示手段及び操作手段とデータ保持手段とを備えたコンピュータにより、プラントの運転を管理及び支援するためのプログラムであって、該コンピュータを、
オペレータが前記操作手段を操作することにより前記プラントを構成する設備における複数の監視対象の中からいずれかの監視対象を選択できる監視対象選択画面を、前記表示手段に表示させ、該監視対象選択画面においていずれかの監視対象が選択されたときに、前記データ保持手段に保持された、前記複数の監視対象と各監視対象ごとの監視要素及び該監視要素に対応した管理項目とを関連付けた管理データを参照して、該選択された監視対象と関連付けられた監視要素及び該監視要素に対応した管理項目を認識し、該選択された監視対象の監視要素と該監視要素に対応した管理項目とを関連付けた管理項目表示画面を前記表示手段に表示させる表示制御手段
として機能させることを特徴とするプラントの運転管理支援用プログラム。
【請求項７】
オペレータ用の表示手段及び操作手段とデータ保持手段とを備えたコンピュータにより、プラントの運転を管理及び支援するためのプログラムを記録したコンピュータ読み取り可能な記録媒体であって、該コンピュータを、
オペレータが前記操作手段を操作することにより前記操作手段によりプラントを構成する設備における複数の監視対象の中からいずれかの監視対象を選択できる監視対象選択画面を、前記表示手段に表示させ、該監視対象選択画面においていずれかの監視対象が選択されたときに、前記データ保持手段に保持された、前記複数の監視対象と各監視対象ごとの監視要素及び該監視要素に対応した管理項目とを関連付けた管理データを参照して、該選択された監視対象と関連付けられた監視要素及び該監視要素に対応した管理項目を認識し、該選択された監視対象の監視要素と該監視要素に対応した管理項目とを関連付けた管理項目表示画面を前記表示手段に表示させる表示制御手段
として機能させるためのプログラムを記録した記録媒体。
【発明の詳細な説明】
【技術分野】
【０００１】
本発明は、オペレータによるプラントの運転及び管理を支援するシステム、運転管理方法、運転管理支援用プログラム並びに当該プログラムを記録した記録媒体に関する。
【背景技術】
【０００２】
従来より、複数の設備、工程からなる製造プラントの運転を管理するために、プラントの運転状況を表示装置に表示させるシステムが知られている。そして、プラント全体の運転状況を表示装置の１画面に一括して表示することは、表示装置の表示面積による制約から困難である。
【０００３】
そこで、プラントを複数の工程に分割して、プラントのオペレータが各工程を選択できるようにし、選択された工程の運転状態を、該工程に備えられた各種のセンサによる検出信号に基づく管理項目（温度、圧力、流量等）の検出値を１画面に表示するようにしたシステムが知られている（例えば、特許文献１参照）。
【特許文献１】特開２００６−１８５１２０号公報（第７−８頁、第３図）
【発明の開示】
【発明が解決しようとする課題】
【０００４】
上述した特許文献１記載のシステムによる場合、オペレータは表示装置の画面に表示される管理項目の検出値を漠然と確認するのみであるため、各管理項目の検出値がプラントの運転を管理する上でどのような意味合いを有するかを認識することができない。そのため、オペレータはルーチンワークをこなすだけで、プラントの運転管理に関するスキルが向上し難い。また、画面に表示される管理項目の検出値だけでは、実際には工程の運転状況の監視が不十分であったとしても、オペレータはこれに気付くことが難しい。
【０００５】
元来、プラントの運転状況を監視して状況に適切に対応していくという管理業務は、現場で経験を積み重ねた熟練者の知識・ノウハウに依存しているため、熟練者の退職に伴いノウハウをどのように継承していくかが課題となっている。そこで熟練者のノウハウを抽出し知識情報として残すことが試みられているが、これは、継承者に知識を与えるにすぎず、継承者たる次世代のオペレータに運転状況を判断して適切な対応をとるのに必要な思考能力を身につけさせることは困難であり、上記課題の本質的な解決策ではない。必要な思考能力とは、知識を使って仮説を構築し、その仮説を現実のプロセスで検証できるという能力である。
【０００６】
オペレータがこのような能力を身につけてスキルを向上するためには、知識情報を伝えるだけではなく、運転に携わる要員が仮説を構築し現実のプロセスで検証できる環境を用意することが重要である。そのため、体系化された共通のフレームワークでオペレータが監視対象の状況を把握しながら管理業務を行い、そこから得られた知見をその共通のフレームワークに蓄積していくことにより、要員すべてが知識と思考過程及び結果を共有できるような環境を提供することが望まれている。
【０００７】
本発明は、かかる背景を鑑みてなされたものであり、プラントの運転管理を行うオペレータが運転管理に携わる上で必要な思考能力を身に付けスキル向上を図ることができる環境を実現する運転管理支援システムを提供することを目的とする。
【課題を解決するための手段】
【０００８】
本発明は、オペレータ用の表示手段及び操作手段を備えてプラントの運転を管理及び支援するシステムであって、
前記プラントを構成する設備における複数の監視対象と各監視対象ごとの監視要素及び該監視要素に対応した管理項目とを関連付けた管理データを保持するデータ保持手段と、オペレータが前記操作手段を操作することにより前記複数の監視対象の中からいずれかの監視対象を選択できる監視対象選択画面を前記表示手段に表示させ、該監視対象選択画面においていずれかの監視対象が選択されたときに、前記管理データを参照して、該選択された監視対象と関連付けられた監視要素及び該監視要素に対応した管理項目を認識し、該選択された監視対象の監視要素と該監視要素に対応した管理項目とを関連付けた管理項目表示画面を前記表示手段に表示させる表示制御手段とを備えたことを特徴とする。
【０００９】
本発明によれば、前記監視対象選択画面においてオペレータによりいずれかの監視対象が選択されたときに、前記表示制御手段により、該選択された監視対象の監視要素と該監視要素に対応した管理項目とを関連付けた前記管理項目表示画面が前記表示手段に表示される。
【００１０】
従って、前記管理項目表示画面を視認したオペレータに対して、監視対象を監視するために必要な監視要素と該監視要素を監視するための具体的な管理項目を認識させることができる。そして、これにより、オペレータに監視対象に関する知識を与えてオペレータのスキル向上を図ることができる。また、オペレータに対して、監視対象の監視に必要となる監視要素及び該監視要素に対応した管理項目を教示することができる。そのため、オペレータに、管理項目の中で実際には確認対象となっていないものを認識させて、対応を促すことができる。
【００１１】
本発明は、上記の構成及び機能を備えることにより、プラントの運転管理を行うオペレータが運転管理に携わる上で必要な思考能力を身に付けスキルを向上させることができる環境を実現している。
【００１２】
本発明のプラントの運転管理支援システムにおいて、前記表示制御手段は、オペレータにより前記監視対象選択画面においていずれかの監視対象が選択されたときに、前記データ保持手段に保持された、前記管理項目と各管理項目ごとの前記プラントに備えられた検出手段による管理方法とを関連付けた管理方法データを参照して、該選択された監視対象の監視要素に対応した管理項目と関連付けられた管理方法があるか否かを判断し、関連付けられた管理方法があったときには、該管理項目と該管理方法とを関連付けて前記管理項目表示画面に表示することが好ましい。
【００１３】
かかる構成によれば、前記監視対象選択画面においていずれかの監視対象が選択されたときに、前記表示制御手段により、該選択された監視対象の監視要素と該監視要素に対応した管理項目と共に、該管理項目と関連付けられた管理方法がある場合には該管理方法が前記管理項目表示画面に表示される。そのため、前記管理項目表示画面を視認したオペレータは、各管理項目がどのような管理方法で管理されているかを認識することができる。そして、これにより、オペレータのプラントの運転に関する知識を増加させて、オペレータのスキル向上を図ることができる。また、管理方法が表示されない管理項目について、管理方法を決定して対応する必要があることをオペレータに認識させることができる。
【００１４】
また、前記表示制御手段は、前記管理項目表示画面において、管理方法が関連付けて表示されない管理項目について、オペレータに前記操作手段により該管理項目の管理方法を入力させる管理方法入力表示部を表示し、該管理方法入力表示部を介して管理方法が入力されたときに、該入力された管理方法を該管理項目と関連付けた管理方法追加データを前記データ保持手段に保持し、オペレータにより前記監視対象選択画面においていずれかの監視対象が選択されたときに、前記データ保持手段に保持された、前記管理方法データ及び前記管理方法追加データを参照して、該選択された監視対象の監視要素に対応した管理項目と関連付けられた管理方法があるか否かを判断し、関連付けられた管理方法があったときには、該管理項目と該管理方法とを関連付けて前記管理項目表示画面に表示することが好ましい。
【００１５】
かかる構成によれば、前記管理項目に関連付けられた管理方法がなかった場合に、前記表示制御手段により前記管理方法入力表示部が表示される。そのため、オペレータに対し、管理方法が決定されていない管理項目について、適当な管理方法を決定して入力することを促すことができる。そして、オペレータにより入力された管理方法は、前記管理方法追加データとして前記データ保持手段に保持され、以後に表示される前記管理項目表示画面に反映される。そのため、オペレータに対して、新たに決定した管理方法による管理を促すことができる。
【００１６】
また、本発明のプラントの運転管理支援システムは、前記プラントの異常を検知する異常検知手段を備え、前記表示制御手段は、該異常検知手段により異常が検知されたときに、前記データ保持手段に保持された、前記プラントで生じる異常と前記管理項目のうちで該異常に対応する際に確認すべき管理項目とを関連付けた異常要因データと、前記管理方法データ及び前記管理方法追加データとを参照して、該検知された異常と関連付けられた管理項目及び該管理項目に対応した管理方法を認識し、該検知された異常と該認識した管理項目及び該管理項目に対応した管理方法とを関連付けた異常報知画面を、前記表示手段に表示することが好ましい。
【００１７】
かかる構成によれば、前記異常検知手段により前記プラントの異常が検知されたときに、前記表示制御手段により、該異常に対応する際に確認すべき管理項目及び該管理項目に対応した管理方法を表示する前記異常報知画面が表示される。そのため、前記異常報知画面を視認したオペレータに対して、単に異常の発生を報知するのみではなく、異常の要因となる管理項目とその管理方法を認識させることができる。そして、これにより、オペレータのプラントの異常に対する知識を増大させて、オペレータのスキル向上を図ることができる。
【００１８】
本発明のプラントの運転管理支援方法においては、オペレータ用の表示手段及び操作手段とデータ保持手段とを備えたコンピュータが、オペレータが前記操作手段を操作することにより前記プラントを構成する設備における複数の監視対象の中からいずれかの監視対象を選択させる監視対象選択画面を、前記表示手段に表示させる第１のステップと、該監視対象選択画面においていずれかの監視対象が選択されたときに、前記データ保持手段に保持された、前記複数の監視対象と各監視対象ごとの監視要素及び該監視要素に対応した管理項目とを関連付けた管理データを参照して、該選択された監視対象と関連付けられた監視要素及び該監視要素に対応した管理項目を認識し、該選択された監視対象の監視要素と該監視要素に対応した管理項目とを関連付けた管理項目表示画面を、前記表示手段に表示させる第２のステップとを含むことを特徴とする。
【００１９】
本発明の方法によれば、前記第１のステップにより前記表示手段に表示される前記監視対象選択画面において、オペレータによりいずれかの監視対象が選択されると、前記第２のステップにより、該選択された監視対象の監視要素と該監視要素に対応した管理項目とを関連付けた前記管理項目表示画面が前記表示手段に表示される。
【００２０】
そのため、前記管理項目表示画面を視認したオペレータに対して、監視対象を監視するために必要な監視要素とその管理項目を認識させることができる。そして、これにより、オペレータに監視対象に関する知識を与えてオペレータのスキル向上を図ることができる。また、オペレータに対して、監視対象で必要となる監視要素及び該監視要素に対応した管理項目を教示することができるため、オペレータに管理項目の不足を認識させて、必要な設備の追加等の対応を促すことができる。
【００２１】
本発明の運転管理支援用プログラムにおいては、オペレータ用の表示手段及び操作手段とデータ保持手段とを備えたコンピュータを、オペレータが前記操作手段を操作することにより前記プラントを構成する設備における複数の監視対象の中からいずれかの監視対象を選択させる監視対象選択画面を前記表示手段に表示させ、該監視対象選択画面においていずれかの監視対象が選択されたときに、前記データ保持手段に保持された、前記複数の監視対象と各監視対象ごとの監視要素及び該監視要素に対応した管理項目とを関連付けた管理データを参照して、該選択された監視対象と関連付けられた監視要素及び該監視要素に対応した管理項目を認識し、該選択された監視対象の監視要素と該監視要素に対応した管理項目とを関連付けた管理項目表示画面を前記表示手段に表示させる表示制御手段として機能させることを特徴とする。
【００２２】
本発明のプログラムをコンピュータに実行させることにより、本発明のプラントの運転管理支援システムにおける表示制御手段を構成することができる。
【００２３】
更に、本発明は、オペレータ用の表示手段及び操作手段とデータ保持手段とを備えたコンピュータを使用してプラントの運転を管理及び支援するためのプログラムを記録したコンピュータ読み取り可能な記録媒体を提供する。
【００２４】
本発明の記録媒体においては、前記コンピュータを、オペレータが前記操作手を操作することにより前記プラントを構成する設備における複数の監視対象の中からいずれかの監視対象を選択させる監視対象選択画面を前記表示手段に表示させ、該監視対象選択画面においていずれかの監視対象が選択されたときに、前記データ保持手段に保持された、前記複数の監視対象と各監視対象ごとの監視要素及び該監視要素に対応した管理項目とを関連付けた管理データを参照して、該選択された監視対象と関連付けられた監視要素及び該監視要素に対応した管理項目を認識し、該選択された監視対象の監視要素と該監視要素に対応した管理項目とを関連付けた管理項目表示画面を、前記表示手段に表示させる表示制御手段として機能させるためのプログラムを記録したことを特徴とする。
【００２５】
本発明の記録媒体によれば、これに記録されたプログラムを前記コンピュータにロードして実行させることにより、本発明のプラントの運転管理支援システムにおける表示制御手段を構成することができる。
【発明を実施するための最良の形態】
【００２６】
本発明の実施形態について、図１〜図４を参照して説明する。
【００２７】
図１は、本発明のプラントの運転管理支援システムの構成を模式的に示す。プラント１は、例えば化学製品の生産プラントであり、原料調整工程、反応工程、抽出工程、蒸発工程等の処理工程とこれらの処理工程に用益（電気、冷却水、空気等）を供給する用益工程等を実施するものとして構成される。
【００２８】
各工程は種々の設備により実行され、各設備の所定箇所に、各種センサ４０ａ，４０ｂ，・・・（本発明の検出手段に相当する）、各種バルブ４１ａ，４１ｂ，４１ｃ，・・・、ポンプ４２ａ，４２ｂ，４２ｃ，・・・が設けられている。また、プラント１を構成する設備は、複数の制御ステーション３０ａ，３０ｂ，３０ｃ，・・・による分散型制御システム（ＤＣＳ）により作動が制御される。
【００２９】
各制御ステーション３０は、センサ４０等の検出信号を入力とし、該検出信号の状態に応じて、バルブ４１及びポンプ４２等のアクチュエータへの制御信号を出力する。そして、制御信号によりアクチュエータの作動を制御して、各設備の運転を実行する。
【００３０】
本実施形態におけるプラントの運転管理システムは、オペレータによるプラント１の運転及び管理を支援するものであり、オペレータにより視認されるディスプレイ２０（本発明のオペレータ用の表示手段に相当する）と、オペレータにより操作されるキーボード２１及びマウス２２（本発明のオペレータ用の操作手段に相当する）とをコンピュータ本体１０に接続したコンピュータにより構成される。
【００３１】
コンピュータ本体１０には、各種のデータを保持するデータ保持手段１１が設けられている。また、コンピュータ本体１０のＣＰＵ（図示しない）に、本発明のプラントの運転管理用プログラムが記録されたコンピュータ読み取り可能な記録媒体２６（ＣＤ−ＲＯＭ等）から該プログラムをロードして実行させることにより、コンピュータ本体１０が、ディスプレイ２０の表示態様を制御する表示制御手段１２、及びプラント１の異常を検知する異常検知手段１３として機能する。
【００３２】
コンピュータ本体１０は各制御ステーション３０と通信可能に接続されており、制御ステーション３０との通信によりプラント１の運転状況を把握する。そして、異常検知手段１３は、制御ステーション３０との通信によりプラント１の異常を検知する。
【００３３】
次に、表示制御手段１２は、オペレータによるプラント１の運転及び管理を支援するために、図２に示す画面をディスプレイ２０に表示する。図２において、監視対象選択画面５０は、プラント１を構成する設備における複数の監視対象の中からいずれかの監視対象をオペレータに選択させるためのものであり、オペレータはマウス２２によるポインティング操作により、監視対象を選択することができる。
【００３４】
なお、表示制御手段１２が監視対象選択画面５０をディスプレイ２０に表示させる処理は、本発明のプラントの運転監視支援方法における第１のステップによる処理に相当する。
【００３５】
ここで、監視対象には、プラント１における処理工程（01トッパー-01プレヒート，01トッパー-02デソルター，01トッパー-03加熱炉，・・・）と、用益工程（09動力-1ボイラー，09動力-2タービン，09動力-3高圧ヘッダー，・・・）とが含まれる。
【００３６】
表示制御手段１２は、監視対象選択画面５０でいずれかの監視対象が選択されたとき、選択された監視対象の監視要素とその監視要素に対応した管理項目とを関連付けて表示すると共に管理項目とその管理方法とを関連付けて表示する管理項目表示画面６０を、ディスプレイ２０に表示する。
【００３７】
なお、監視対象選択画面５０でいずれかの監視対象が選択されたときに、表示制御手段１２が管理項目表示画面６０をディスプレイ２０に表示する処理は、本発明のプラントの運転監視支援方法における第２のステップによる処理に相当する。
【００３８】
図２は、監視対象の設備として「01トッパー-03加熱炉」が選択された場合を示している。図示の例では、管理項目表示画面６０に、「01トッパー-03加熱炉」の監視要素（本体-強度，チューブ-強度，チューブ-詰まり，ダクト-強度，…）を表示する監視要素表示部６１、各監視要素に対応した管理項目（本体-強度→炉内温度/炉内圧力/パネル・レンガ損傷、チューブ-強度→スキン温度/パス流量、…）を表示する管理項目表示部６２、各管理項目の管理方法（炉内温度→現場点検、炉内圧力→炉内圧力上限警報、パネル・レンガ損傷→現場点検、…）を表示する管理方法表示部６３、Grade-Aの異常を表示する第１の異常表示部６４（本発明の異常報知画面に相当する）、及びGrade-Aよりも緊急性が高いGrade-Bの異常を表示する第２の異常表示部６５（本発明の異常報知画面に相当する）が表示されている。
【００３９】
表示制御手段１２は、監視対象選択画面５０でいずれかの監視対象が選択されたとき、データ保持手段１１に保持された管理データ（mana_dat）、管理方法データ（manb_dat）、及び管理方法追加データ（manc_dat）を参照して、監視要素表示部６１、管理項目表示部６２及び管理方法表示部６３を表示する。
【００４０】
なお、データ保持手段１１は、各データを、コンピュータ１０がアクセス可能なデータベース２５からネットワークを介してダウンロードし、又は記憶媒体２６からロードして保持するか、或いはオペレータによってキーボードにより各データを入力して保持してもよい。
【００４１】
上記の管理データ（mana_dat）は、設備等の監視対象と監視要素及び該監視要素に対応した管理項目とを関連付けたものであり、例えば図３（ａ）に示すように、選択された監視対象設備「01トッパー03加熱炉」の監視要素として、「本体-強度、チューブ-強度、チューブ-詰まり、ダクト強度、…」が保持され、各監視要素に対応した管理項目として、「本体-強度→炉内温度/炉内圧力/パネル・レンガ損傷、チューブ-強度→スキン温度/パス流量、チューブ-詰まり→温度/パス流量/圧力変化、…」が保持されている。
【００４２】
そのため、表示制御手段１２は、管理データ（mana_dat）を参照することにより、選択された監視対象設備「01トッパー03加熱炉」の監視要素及び監視要素を認識して、監視要素表示部６１及び管理項目表示部６２を表示することができる。そして、図２に示したように、監視要素及び監視要素に対応する管理項目を関連付けて表示することで、オペレータに対して、選択した監視対象「01トッパー03加熱炉」の監視要素を監視するために、どのような管理項目が必要であるかを認識させることができる。
【００４３】
また、管理方法データ（manb_dat）は、各監視対象における監視要素の管理項目と、プラント１に備えられた検出手段による管理方法とを関連付けたものであり、例えば図３（ａ）に示すように、管理項目「炉内圧力」に対して、プラント１に備えられた圧力センサによる管理方法「炉内圧力上限警報」が関連付けて保持されている。
【００４４】
そのため、表示制御手段１２は、管理方法データ（manb_dat）を参照することにより、選択された監視対象設備「01トッパー03加熱炉」の監視要素に対応した管理項目の管理方法を認識して、管理方法表示部６３（図２参照）を表示することができる。そして、図２に示したように、管理項目とその管理方法を関連付けて表示することで、オペレータに対して、選択した監視対象「01トッパー03加熱炉」の管理方法として、どのようなものが設定されているかを認識させることができる。
【００４５】
また、図３（ａ）において、プラント１に備えられた検出手段による管理方法が設定されていない管理項目（例えば、「炉内温度」）については、関連付けて保持された管理方法のデータがない。そのため、図２の管理方法表示部６３の対応箇所が空欄となる。この場合、管理方法表示部６３の空欄を視認したオペレータに対して、管理方法が設定されていない管理項目について、管理方法を決定することを促すことができる。ここで、オペレータはマウス２２及びキーボード２１を操作して、その空欄に管理方法を入力することができる。そして、このようにして入力された管理方法は管理項目と関連付けられ、管理方法追加データ（manc_dat）としてデータ保持手段１１に保持される。なお、この場合、管理方法表示部６２は、本発明における管理方法入力表示部として機能する。
【００４６】
図３（ｂ）は、管理方法追加データ（manc_dat）が追加された状態を示しており、図３（ａ）では空欄であった箇所に、管理方法として「現場確認」が格納されているのがわかる。このように、管理方法表示部６３には、管理項目に関連付けられた管理方法が表示される。そのため、オペレータは、各管理方法がどのような監視要素に対応した管理項目を確認するためのものであるかを、認識することができる。
【００４７】
また、対応する管理方法表示部６３の箇所が空欄となっている管理項目について、何らかの管理方法を決定して対応する必要があることをオペレータに認識させて、オペレータに設備の追加等の対応を促すことができる。
【００４８】
次に、異常検知手段１３（図１）は、制御ステーション３０との通信により、プラント１で発生する種々の異常を検知する。そして、表示制御手段１２は、異常検知手段１３により異常が検知されたときに、図４に示した異常要因データ（erc_dat）を参照して、その異常に関連する管理項目及びその管理方法と、異常のGrade（Ａ又はＢ）を認識する。
【００４９】
例えば、異常内容が「コーキング異常」であったときは、表示制御手段１２は、異常要因データ（erc_dat）により、関連する管理項目「温度」及びその管理方法「現場点検」と、異常のGrade「Ｂ」を認識する。そして、表示制御手段１２は、図２に示したように、第２の異常表示部６５に「コーキング異常」を表示すると共に、矢印表示により、「コーキング異常」の要因である監視要素「チューブ-詰まり」の管理項目「温度」を関連付けて表示する。
【００５０】
なお、管理項目に関連付けられた管理方法が管理方法データ（manb_dat）又は管理方法追加データ（manc_dat）に保持されているときは、表示制御手段１２は、管理項目とその管理方法を、異常表示と関連付けて表示する。
【００５１】
このように、異常内容の表示と、異常に関連する監視要素の管理項目及びその管理方法とを関連付けて表示することにより、オペレータに対して、確認すべき具体的な事項（管理項目、管理方法）と共に、異常が生じる要因（監視要素）を併せて認識させることができる。
【００５２】
なお、本実施形態では、図２に示すように監視対象選択画面５０と管理項目表示画面６０とを一画面で表示したが、先ず、監視対象選択画面５０を一画面で表示し、オペレータによりいずれかの監視対象が選択されたときに、管理項目表示画面６０に切り換えて一画面で表示するようにしてもよい。
【００５３】
また、本実施の形態では、監視要素表示部６１、管理項目表示部６２、管理方法表示部６３、第１の異常表示部６４及び第２の異常表示部６５を一つの表で示したが、例えば、管理方法が関連付けられていない管理項目について、オペレータが管理方法を入力する画面を別表示とする等、種々の表示態様に対して本発明を適用できる。
【００５４】
また、本実施の形態では、データ保持手段１１に管理データ（mana_dat）、管理方法データ（manb_dat）、管理方法追加データ（manc_dat）及び異常要因データ（erc_dat）を保持しているが、データ保持手段１１に、（１）管理データ（mana_dat）のみを備えて、選択された監視対象の監視要素と管理項目を関連付けて表示させる場合、（２）管理データ（mana_dat）及び管理方法データ（manb_dat）のみを備えて、選択された監視対象の監視要素と、管理項目及びその管理方法とを関連付けて表示させる場合、或いは（３）管理データ（mana_dat）、管理方法データ（manb_dat）及び管理方法追加データ（manc_dat）のみを備え、管理方法の入力を可能として、選択された監視対象の監視要素と管理項目及びその管理方法とを関連付けて表示させる場合にも、同様の効果を得ることができる。
【図面の簡単な説明】
【００５５】
【図１】本発明のプラントの運転管理支援システムの構成を模式的に示す図。
【図２】図１に示すディスプレイにより表示される画面の一例を示す図。
【図３】管理データ、管理方法データ、及び管理方法データの構成を示す図。
【図４】異常要因データの構成を示す図。
【符号の説明】
【００５６】
１…プラント、１０…コンピュータ本体、１１…データ保持手段、１２…表示制御手段、１３…異常検知手段、２０…ディスプレイ（表示手段）、２１…キーボード（操作手段）、２２…マウス（操作手段）、２６…ＣＤ−ＲＯＭ（プラントの運転管理支援用プログラムが記録された記録媒体）、３０…制御ステーション、４０…センサ（検出手段）、４１…バルブ、４２…ポンプ。
【図１】
2008191983.tif 000003
【図２】
2008191983.tif 000004
【図３】
2008191983.tif 000005
【図４】
2008191983.tif 000006